(57)【要約】【課題】市販の飲料用又は液体調味料用の弾性容器をポンプとして利用可能である安価な動作玩具を提供すること。【解決手段】弾性容器Ａと、弾性容器の口部に螺着されるキャップ１０と、キャップの上側に設置された動作体２０とを備え、キャップを弾性容器の口部に螺着させ、弾性容器を圧縮することによって弾性容器内の流体を移動させることによって動作体２０を動作させるようにしたことを特徴とする。このように、弾性容器を動作体を動作させるためのポンプとして使用するので、安価な動作玩具が得られる。【選択図】図１
0003180576.tif 000002
【実用新案登録請求の範囲】
【請求項１】
口部に雄ねじが形成された弾性容器に装着されて使用される動作玩具であって、前記弾性容器の前記雄ねじに螺合する雌ねじを有するキャップと、前記キャップに設置された動作体とを備え、前記キャップには前記弾性容器に対して流体を入出させるオリフィスが形成され、前記キャップの前記雌ねじを前記弾性容器の前記雄ねじに螺合させた状態で、流体が入れられた前記弾性容器を圧縮し、この圧縮によって生じる前記オリフィス側への前記流体の移動によって前記動作体を動作させるようにしたことを特徴とする動作玩具。
【請求項２】
前記キャップには、前記流体の移動力を機械運動に変換するアクチュエータが設けられ、このアクチュエータを介して前記動作体を動作させるように構成されていることを特徴とする請求項１に記載の動作玩具。
【請求項３】
前記アクチュエータは、円筒状のシリンダと、ピストンロッドが設けられ前記シリンダの内壁を摺動するピストンとを備え、前記流体の移動力によって前記ピストンを動作させ、前記ピストンロッドを介して前記動作体を動作させるように構成されていることを特徴とする請求項２に記載の動作玩具。
【請求項４】
前記アクチュエータは、回転軸と、当該回転軸を中心としてその周囲に形成される円弧状のシリンダと、前記回転軸の周面から半径方向に張り出すように設けられ、前記シリンダの内壁を摺動するベーンとを備え、前記流体の移動力によって前記ベーンを動作させて前記回転軸を動作させ、当該回転軸を介して前記動作体を動作させるように構成されていることを特徴とする請求項２に記載の動作玩具。
【請求項５】
前記動作体は、当該動作体の周辺に位置する外部物体を当該動作体の動作によって打撃可能に構成されていることを特徴とする請求項１〜４のいずれか一項に記載の動作玩具。
【請求項６】
前記キャップに前記動作体を係止する係止手段が設けられ、前記動作体は前記係止手段の係止解除によって前記キャップから離脱可能となっており、前記動作体に外力が作用した際に前記係止手段による係止が解除されて前記動作体が前記キャップから離脱されるように構成されていることを特徴とする請求項５に記載の動作玩具。
【請求項７】
前記動作体と前記キャップとの間に付勢手段が設けられ、前記動作体と前記キャップとの係止が解除された際に、前記動作体が前記キャップから飛び跳ねるように構成されていることを特徴とする請求項６に記載の動作玩具。
【請求項８】
前記オリフィスから流体を噴出させ、この噴出する流体の力によって前記動作体を動作させるように構成されていることを特徴とする請求項１に記載の動作玩具。
【請求項９】
前記流体は空気であることを特徴とする請求項１から８いずれか一項に記載の動作玩具。
【請求項１０】
前記弾性容器はペットボトルであることを特徴とする請求項１から９いずれか一項に記載の動作玩具。
【考案の詳細な説明】
【技術分野】
【０００１】
本考案は、動作玩具に関するもので、詳しくは、弾性容器に装着し、当該弾性容器を圧縮し、それによって生じる流体圧によって動作体を動作させる動作玩具に関するものである。
【背景技術】
【０００２】
弾性容器の１つであるペットボトルに装着させて遊ぶ動作玩具としては、飲料容器のキャップに冠着される冠着部の上面に動作体（例えば形象物）を備え、冠着部の内面に復帰ばねを備えたものがある（例えば、特許文献１）。この動作玩具は、飲料容器のキャップに冠着部を冠着させた状態で、冠着部を手による外力によって復帰ばねの付勢力に抗してキャップに接近する方向に移動させ、その外力を開放することによって、動作体を動作させるように構成されている。
【０００３】
また、空気圧によって動作体を動作させる玩具としては、人形内に手動ポンプ（ベローズ）を設け、当該ポンプを動作させることによって眼球を動作させるものがある（特許文献２）。
【先行技術文献】
【特許文献】
【０００４】
【特許文献１】特開２００３−２１０８６６号公報
【特許文献２】特開２００２−３３６５５５号公報
【考案の概要】
【考案が解決しようとする課題】
【０００５】
ところで、特許文献１の玩具は、飲料容器を使用しているが、飲料容器を単に台座として使用しているに過ぎない。また、特許文献２の玩具は、ポンプによって昇圧される空気圧を利用しているが、ポンプ（ベローズ）は専用のものであるため、それだけ高価になる。
【０００６】
本考案は、動作玩具が装着可能な弾性容器をポンプとして利用可能である安価な動作玩具を提供することを目的とする。
【課題を解決するための手段】
【０００７】
請求項１に記載の動作玩具は、口部に雄ねじが形成された弾性容器に装着されて使用される動作玩具であって、前記弾性容器の前記雄ねじに螺合する雌ねじを有するキャップと、前記キャップに設置された動作体とを備え、前記キャップには前記弾性容器に対して流体を入出させるオリフィスが形成され、前記キャップの前記雌ねじを前記弾性容器の前記雄ねじに螺合させた状態で、流体が入れられた前記弾性容器を圧縮し、この圧縮によって生じる前記オリフィス側への前記流体の移動によって前記動作体を動作させるようにしたことを特徴とする。
【０００８】
請求項２に記載の動作玩具は、請求項１に記載の動作玩具であって、前記キャップには、前記流体の移動力を機械運動に変換するアクチュエータが設けられ、このアクチュエータを介して前記動作体を動作させるように構成されていることを特徴とする。
【０００９】
請求項３に記載の動作玩具は、請求項２に記載の動作玩具であって、前記アクチュエータは、円筒状のシリンダと、ピストンロッドが設けられ前記シリンダの内壁を摺動するピストンとを備え、前記流体の移動力によって前記ピストンを動作させ、前記ピストンロッドを介して前記動作体を動作させるように構成されていることを特徴とする。
【００１０】
請求項４に記載の動作玩具は、請求項２に記載の動作玩具であって、前記アクチュエータは、回転軸と、当該回転軸を中心としてその周囲に形成される円弧状のシリンダと、前記回転軸の周面から半径方向に張り出すように設けられ、前記シリンダの内壁を摺動するベーンとを備え、前記流体の移動力によって前記ベーンを動作させて前記回転軸を動作させ、当該回転軸を介して前記動作体を動作させるように構成されていることを特徴とする。
【００１１】
請求項５に記載の動作玩具は、請求項１〜４のいずれか一項に記載の動作玩具であって、前記動作体は、当該動作体の周辺に位置する外部物体を当該動作体の動作によって打撃可能に構成されていることを特徴とする。
【００１２】
請求項６に記載の動作玩具は、請求項５に記載の動作玩具であって、前記キャップに前記動作体を係止する係止手段が設けられ、前記動作体は前記係止手段の係止解除によって前記キャップから離脱可能となっており、前記動作体に外力が作用した際に前記係止手段による係止が解除されて前記動作体が前記キャップから離脱されるように構成されていることを特徴とする。
【００１３】
請求項７に記載の動作玩具は、請求項６に記載の動作玩具であって、前記動作体と前記キャップとの間に付勢手段が設けられ、前記動作体と前記キャップとの係止が解除された際に、前記動作体が前記キャップから飛び跳ねるように構成されていることを特徴とする。
【００１４】
請求項８に記載の動作玩具は、請求項１に記載の動作玩具であって、前記オリフィスから流体を噴出させ、この噴出する流体の力によって前記動作体を動作させるように構成されていることを特徴とする。
【００１５】
請求項９に記載の動作玩具は、請求項１から８いずれか一項に記載の動作玩具であって、前記流体は空気であることを特徴とする。
【００１６】
請求項１０に記載の動作玩具は、請求項１から９いずれか一項に記載の動作玩具であって、前記弾性容器はペットボトルであることを特徴とする。
【考案の効果】
【００１７】
請求項１の動作玩具によれば、動作玩具が螺着によって装着可能な弾性容器を動作体を動作させるためのポンプとして使用するので、安価な動作玩具が得られる。
【００１８】
請求項２の動作玩具によれば、弾性容器の圧縮によって生じた流体の移動をアクチュエータによって機械的な動力に変換させるため、動作体に変化に富んだ運動をさせることができる。
【００１９】
請求項３の動作玩具によれば、ピストンロッドの直線運動を利用して、動作体に変化に富んだ運動をさせることができる。
【００２０】
請求項４の動作玩具によれば、ベーンの回転運動を利用して、動作体に変化に富んだ運動をさせることができる。
【００２１】
請求項５の動作玩具によれば、相手動作玩具との間で、対戦を楽しむことができる。
【００２２】
請求項６の動作玩具によれば、外力によって基台等から離脱するので、勝敗がはっきりした対戦を楽しむことができる。
【００２３】
請求項７の動作玩具によれば、動作体が飛び跳ねるので、勝敗がよりはっきりし、対戦型玩具としての興趣性が増すことになる。
【００２４】
請求項８の動作玩具によれば、弾性容器から噴出する流体の圧力によって動作体を動作させるので、特別なアクチュエータが不要となり、その分、安価な動作玩具を実現できる。
【００２５】
請求項９の動作玩具によれば、流体として空気を用い、空気圧で動作体を動作させるので、場所を選ばずどこでも自由に遊ぶことができる。
【００２６】
請求項１０の動作玩具によれば、ペットボトルをポンプとして使用するので安価であり、また、市販の飲料用又は液体調味料用のペットボトルをも利用できる。
【図面の簡単な説明】
【００２７】
【図１】本考案に係る動作玩具の第１実施形態を示した断面図である。
【図２】第１実施形態の要部の分解斜視図である。
【図３】第１実施形態の動作状態を示した断面図である。
【図４】第１実施形態の変形例を示した断面図である。
【図５】図４の変形例の動作状態を示し断面図である。
【図６】本考案に係る動作玩具の第２実施形態を示した断面図であり、（Ａ）は全体を示す断面図、（Ｂ）はシリンダおよびベーンを示す横断面図である。
【図７】第２実施形態の要部の分解斜視図である。
【図８】第２実施形態のシリンダに対するベーンの位置の状態（Ａ〜Ｃ）を示した動作図である。
【図９】本考案に係る動作玩具の第３実施形態を示した外観図である。
【考案を実施するための形態】
【００２８】
以下、本考案に係る動作玩具を図面に示した実施の形態に基づいて説明する。
【００２９】
図１に示した第１実施形態の動作玩具１は、弾性容器の一例である、市販の飲料用又は液体調味料用のペットボトルＡの口部ａに螺着されるキャップ１０と、当該キャップの上側に設置された動作体２０とによって構成されている。
【００３０】
キャップ１０は、下端に開口した筒状内周面に、ペットボトルＡの口部ａの外周面に形成された雄ねじｂに螺合する雌ねじ１０ａが形成されている。また、キャップ１０の天井壁中央には、図２に示すように、円形の孔１０ｂが形成されている。
【００３１】
そして、キャップ１０の孔１０ｂにはシリンダ１１が挿入されている。このシリンダ１１は円筒状で、上部に矩形のフランジ１１ａを有し、下端内周面に内方に僅かに張り出すフランジ１１ｂを有している。
【００３２】
このシリンダ１１にはピストン１２が挿入されている。そして、このピストン１２は、フランジ１１ｂによってシリンダ１１内で上下に摺動自在に拘束されている。このピストン１２は、中空で天井壁１２ａを備えている。そして、この天井壁１２ａにはオリフィス１２ｂが形成され、天井壁１２ａの上面には円柱状のピストンロッド１２ｃが立設されている。
【００３３】
動作体２０は、ピストンロッド１２ｃによって動作される動作部２１を備えている。この動作部２１は、基板２２と可動板２３とを備え、それらの一端部がヒンジ２１ａによって互いに連結されている。このうち、基板２２は、シリンダ１１のフランジ１１ａに接着剤やネジ等によって固定して取り付けられている。この基板２２には、ピストンロッド１２ｂが挿通される孔２２ａとオリフィス２２ｂが形成されている。また、可動板２３には、上面に支持ロッド２３ａが立設されている。
【００３４】
また、動作体２０は形象物としての人形２４を備えている。ここで、「人形」とは、人間や人間以外の動物や架空の生物も含めて、それらの姿に似せて作られた物をさす。
この人形２４の足下面には孔２４ａが形成されている。そして、この人形２４は、その孔２４ａを可動板２３の支持ロッド２３ａに嵌着させることによって、可動板２３に支持されている。なお、ここでは、孔２４ａを可動板２３の支持ロッド２３ａに嵌着させたが、人形２４の足下面が可動板２３に接着剤等によって接着されていてもよい。この人形２４は腕２４ｂを備え、腕には武器２４ｃを支持する孔２４ｄが形成されている。
【００３５】
このように構成された動作玩具１は、図１に示すように、キャップ１０をペットボトルＡの口部ａに螺着することによってペットボトルＡに装着される。
【００３６】
そして、図３に示すように、空気が入れられたペットボトルＡを圧縮すると、圧縮空気がピストン１２を上方へ動作させる。すると、ピストンロッド１２ｃに突き上げられた可動板２３がヒンジ２１ａを中心にして上方へ回動する。それに伴って、人形２４が前方へ向けて傾動し、武器２４ｃが前方に突出する。なお、ピストン１２が上動する際に、シリンダ１１の圧力室の空気は圧縮されることになるが、その圧縮空気は、オリフィス２２ｂを介して開放される。
【００３７】
このような武器２４ｃの動作によって、相対向させた他の動作体２０に対して武器２４ｃで打撃可能となり、それによって対戦等の遊びを行なうことができる。
【００３８】
続いて、ペットボトルＡの圧縮を開放すると、自重とペットボトルＡ内に生じる負圧とによって、ピストン１２が下方に復帰し、それに伴ってピストンロッド１２ｃも下方に復帰する。すると、人形２４を支持している可動板２３も自重で復帰し、それに伴って、人形２４も復帰する。また、ペットボトルＡは、外部空気がオリフィス２２ｂを介して流入することで、初期の状態まで膨らむ。
【００３９】
なお、変形例では、人形２４を可動板２３に設置して傾動可能にするとともに、その可動板２３のロッド２３ａに移動可能に支持させているが、例えば、可動板２３を使用することなく、人形２４を基板２２に支持させ、人形２４の動作部、例えば腕をピストンロッド１２ｃで直接的又は操作レバーを介して間接的に動作させるようにしてもよい。
【００４０】
図４および図５は、上記第１実施形態の変形例を示している。
この変形例では、可動板２３に、ヒンジ２１ａと平行な係止枠２３ｂを設け、当該係止枠２３ｂと可動板２３との間に差込口２３ｃを形成するとともに、人形２４の足先に、前記差込口２３ｃに差し込まれる突起２４ｄを形成している。
【００４１】
また、この変形例では、孔２４ａを大径の孔にしている。そして、この変形例では、支持ロッド２３ａにコイルばね２３ｄを装着し、人形２４の孔２４ａを支持ロッド２３ａに遊嵌させながら人形２４をヒンジ２１ａ方向にずらし、突起２４ｄを係止枠２３ｂの差込口２３ｃに差し込むことによって人形２４を可動板２３に保持させる。
【００４２】
この変形例では、図５に示すように、人形２４が、例えば相手の攻撃を受けて、矢印Ｘ方向に移動すると、人形２４の突起２４ｄが可動板２３の差込口２３ｃから外れる。すると、人形２４は、ばね２３ｄの付勢力によってＹ方向へ飛び跳ねる。
【００４３】
このように、この変形例では、人形２４が飛び跳ねるので、対戦等の遊びをより楽しむことができる。
【００４４】
なお、変形例では、人形２４を可動板２３に設置して傾動可能にするとともに、その可動板２３のロッド２３ａに移動可能に支持させているが、例えば、可動板２３を使用することなく、人形２４を上記変形例と同様な構成で基板２２に支持させ、人形２４の動作部、例えば腕をピストンロッド１２ｃで直接的又は操作レバーを介して間接的に動作させるようにしてもよい。
【００４５】
図６は、本考案に係る動作玩具の第２実施形態を示している。
【００４６】
この実施形態の動作玩具２は、市販の飲料用又は液体調味料用のペットボトルＡの口部ａに螺着するキャップ３０と、当該キャップの上側に設置される動作体３５とによって構成されている。
【００４７】
キャップ３０は、上記第１実施形態と同様に、下端が開口した筒状内周面に、ペットボトルＡの口部ａの外周面に形成される雄ねじｂに螺合する雌ねじ３０ａを備え、キャップ３０の天井壁中央に、図７に示すように、孔３０ｂが形成されている。
【００４８】
キャップ３０の孔３０ｂにはシリンダ３１が挿入されている。シリンダ３１は底壁３１ａを有している。そして、周壁にはスリット３１ｂが形成され、中心方向に向けて隔壁３１ｃが設けられている。また、シリンダ３１の底壁３１ａには、扇状の孔３１ｄが形成されている。これらスリット３１ｂ、隔壁３１ｃ、孔３１ｄの位置関係は、後述する作用によって明らかになるであろう。
【００４９】
シリンダ３１にはベーン３２が挿入されている。このベーン３２は、周壁３２ａ、底壁３２ｂ及び天井壁３２ｃを備えている。そして、周壁３２ａ、底壁３２ｂ及び天井壁３２ｃによって周方向に開口する凹部３２ｄが画成されている。このベーン３２は軸３２ｅによって支持され、当該軸３２ｅの下端部はシリンダ３１の軸心に回転自在に支持されている。
【００５０】
また、シリンダ３１の上部開口を塞ぐようにして円板３３が配設されている。この円板３３の中心には、軸３２ｅの上部を支持するスリーブ３３ａが立設され、円板３３のスリーブ３３ａの近くにはオリフィス３３ｂが形成されている。
【００５１】
また、軸３２ｅの上端部にはクリップ３４が嵌着されている。このクリップ３４は、軸端部を覆うロッド部３４ａと、当該ロッド部３４ａの周面から半径方向外方に延びる突出部３４ｂを備えている。
【００５２】
また、動作玩具２は形象物としての人形３５を備えている。この人形３５の胴部３５ａの底面には、クリップ３４のロッド部３４ａおよび突出部３４ｂを収容する孔３５ｂが形成され、胴部側面に腕３５ｃを備えている。この腕３５ｃは、例えば、遠心力によって上腕に対して下腕が伸張自在となっている。
【００５３】
この動作玩具２では、スリーブ３３ａの上端から突出している軸３２ｅにクリップ３４が装着され、当該クリップ３４に人形３５の胴部３５ａが装着されている。そして、人形３５の胴部３５ａは、軸３２ｅの回転に伴って軸３２ｅと一体に回転されようになっている。
【００５４】
このように構成された動作玩具１は、図６（Ａ）に示すように、キャップ３０をペットボトルＡの口部ａに螺着することによってペットボトルＡに装着される。
【００５５】
ここで、初期状態におけるベーン３２の位置は、図８（Ａ）に示す位置にある。この状態においては、ベーン３２の底壁３２ｂがシリンダ３１の孔３１ｄをほぼ塞ぎ、スリット３１ｂは開口している。
【００５６】
そして、ペットボトルＡを圧縮すると、圧縮空気がスリット３１ｂを経てシリンダ３１内に供給され、その圧縮空気によって、ベーン３２が図８において反時計方向に回転する。すると、底壁３２ｂが孔３１ｄを開放する（図８（Ｂ）参照）ため、圧縮空気は孔３１ｄからも供給される。そして、ベーン３２は、隔壁３１ｃに突き当たり、そこで停止する（図８（Ｃ）参照）。
【００５７】
なお、上記ベーン３２の運動において、ベーン３２とシリンダ３１の隔壁３１ｃとの間の密封空間は、オリフィス３３ｂを介して外部に開放されているので、ベーン３２の運動を妨げることはない。
【００５８】
このようにベーン３２が回転すると、その運動は軸３２ｅを介して胴部３５ａに伝達され、それによって胴部３５ａが回転する。そして、胴部３５ａの回転に伴って腕３５ｃが外方へ突出する。
【００５９】
このような腕３５ｃの動作によって、相対向させた他の動作体に対して打撃可能となり、それによって対戦等の遊びを行なうことができる。
【００６０】
続いて、ペットボトルＡの圧縮を開放すると、それによってペットボトルＡ内に生じる負圧によって、ベーン３２が反転し、それに伴って軸３２ｅも逆回転する。そして、胴部３５ａは、初期状態に復帰する。
【００６１】
なお、上記実施形態及び変形例では、ペットボトルを圧縮することで発生させた空気圧（動圧）で、動力変換器である直動式アクチュエータまたは回動式アクチュエータを動作させ、その直動出力または回転出力で動作体を動作させているが、図９に示す第３実施形態のように、ペットボトルＡで発生させた空気圧を例えばボール（動作体）５０に直接吹き付けることによって動作させてもよい。この場合、リング５２を設ければ、バスケットボールゲーム等を楽しむことができる。この場合、ボール５０を初期位置に復帰させるために、床５１を傾斜させることが好ましい。また、ペットボトルＡで発生させた空気圧によって例えば人形の口等を直接動作させるようにしてもよい。
【００６２】
また、アクチュエータによって変換された直線運動又は回転運動を、リンク機構，ギヤ列等を介して動作体に伝達させるようにしてもよい。
【００６３】
また、上記実施形態及び変形例では、流体として空気を使用し、空気圧によって動作体を動作させたが、流体として水を使用し、水圧によって動作体を動作させるようにしてもよい。
【００６４】
また、上記実施形態及び変形例では、弾性容器として市販の飲料用又は液体調味料用のペットボトルＡを使用したが、専用のペットボトルでもよい。ペットボトル自体が安価なため、ベローズを用いる場合に比べて動作玩具も安価なものとなる。その他、動作玩具が螺着によって装着可能な弾性容器をも用いることができる。
【符号の説明】
【００６５】
１，２    動作玩具
１０    キャップ
１０ａ    雌ねじ
１１    シリンダ
１２    ピストン
１２ｂ    オリフィス
１２ｃ    ピストンロッド
２０    動作体
２２ｂ    オリフィス
２３ｄ    コイルばね
２４    人形
３０    キャップ
３０ａ    雌ねじ
３１    シリンダ
３２    ベーン
３３ｂ    オリフィス
３５ａ    胴部
Ａ    ペットボトル
ａ    口部
ｂ    雄ねじ
【図１】
0003180576.tif 000003
【図２】
0003180576.tif 000004
【図３】
0003180576.tif 000005
【図４】
0003180576.tif 000006
【図５】
0003180576.tif 000007
【図６】
0003180576.tif 000008
【図７】
0003180576.tif 000009
【図８】
0003180576.tif 000010
【図９】
0003180576.tif 000011